(57)【要約】【課題】開放させた際に外側へ突出することなく、眺望の邪魔とならない外装パネルを提供する。【解決手段】外装パネル２０は、躯体に設けられた方立に間をおいて固定された固定パネル２２と、移動して固定パネル２２の間に形成された開口を開閉する可動パネル２４と、可動パネル２４を上下方向へ移動可能にガイドするガイド機構１３と、躯体内から可動パネル２４を移動させる操作部材４０と、を有する。【選択図】図３
2015209654.tif 000002
【特許請求の範囲】
【請求項１】
躯体に設けられた方立に間をおいて固定された固定パネルと、
移動して前記固定パネルの間に形成された開口を開閉する可動パネルと、
前記可動パネルを上下方向へ移動可能にガイドするガイド機構と、
躯体内から前記可動パネルを移動させる操作部材と、
を有する外装パネル。
【請求項２】
前記可動パネルは、上側可動パネルと下側可動パネルとで構成され、
回転部材に上方から巻掛けられた巻掛け部材を備え、
前記上側可動パネルと前記下側可動パネルとが前記巻掛け部材に連結され、開放方向又は閉鎖方向へ連動して移動する、請求項１に記載の外装パネル。
【請求項３】
前記操作部材は、前記可動パネルに設けられた動滑車に巻掛けられて一端が躯体に固定されたワイヤを巻取るドラムと、前記ドラムの回転を許容又はロックするロック機構と、を備え、
前記固定パネルには、外側から前記ロック機構のロック状態を解除可能な解除部材が設けられている、請求項１又は２に記載の外装パネル。
【発明の詳細な説明】
【技術分野】
【０００１】
本発明は、外装パネルに関する。
【背景技術】
【０００２】
意匠や日射制御のため、躯体に外装パネルを設置する技術が知られている。ここで、眺望の確保や非常用進入口の確保のために外装パネルを開放させる場合、例えば特許文献１に示すように、外装パネルの一部を可動障子とし、回動軸回りに可動障子を室外側へ回動させることによって外装パネルを開放可能としている。
【先行技術文献】
【特許文献】
【０００３】
【特許文献１】特開２００６−２２５０９号
【発明の概要】
【発明が解決しようとする課題】
【０００４】
特許文献１に記載の可動障子を備える外装パネルの場合、開放させた際に可動障子が室外側へ突出するため、敷地境界を越境しないように躯体を敷地境界から後退させる必要がある。また、室外を眺望する際、開放位置にある可動障子によって視界が遮られる虞がある。
【０００５】
本発明は上記事実を考慮し、開放させた際に外側へ突出することなく、眺望の邪魔とならない外装パネルを提供することを目的とする。
【課題を解決するための手段】
【０００６】
本発明の請求項１に係る外装パネルは、躯体に設けられた方立に間をおいて固定された固定パネルと、移動して前記固定パネルの間に形成された開口を開閉する可動パネルと、前記可動パネルを上下方向へ移動可能にガイドするガイド機構と、躯体内から前記可動パネルを移動させる操作部材と、を有する。
【０００７】
上記構成によれば、操作部材によってガイド機構に沿って可動パネルを移動させることで、固定パネル間に形成された開口を開閉することができる。また、可動パネルは上下方向へ移動するため、外側へ突出することがなく、眺望の邪魔とならない。
【０００８】
本発明の請求項２に係る外装パネルは、前記可動パネルは、上側可動パネルと下側可動パネルとで構成され、回転部材に上方から巻掛けられた巻掛け部材を備え、前記上側可動パネルと前記下側可動パネルとが前記巻掛け部材にそれぞれ連結され、開放方向又は閉鎖方向へ連動して移動する。
【０００９】
上記構成によれば、可動パネルが上側可動パネルと下側可動パネルとで構成されており、上側可動パネルと下側可動パネルとが回転部材に上方から巻掛けられた巻掛け部材に連結されて連動して移動する。したがって、開閉操作することで上側可動パネルと下側可動パネルとを同時に開閉させることができる。
【００１０】
本発明の請求項３に係る外装パネルは、前記操作部材は、前記可動パネルに設けられた動滑車に巻掛けられて一端が躯体に固定されたワイヤを巻取るドラムと、前記ドラムの回転を許容又はロックするロック機構と、を備え、前記固定パネルには、外側から前記ロック機構のロック状態を解除可能な解除部材が設けられている。
【００１１】
上記構成によれば、操作部材が、可動パネルに設けられた動滑車に巻掛けられたワイヤを巻取るドラムと、ドラムの回転を許容又はロックするロック機構と、を備えている。また、固定パネルには、ロック機構のロック状態を解除可能な解除部材が設けられている。したがって、非常時等に躯体外側から解除部材を操作してロック機構のロック状態を解除することで、ドラムを回転させて可動パネルを開放し、非常用進入口を確保することができる。
【発明の効果】
【００１２】
本発明によれば、開放させた際に外側へ突出することなく、眺望の邪魔とならない外装パネルを提供することができる。
【図面の簡単な説明】
【００１３】
【図１】第１実施形態に係る外装パネルが設置された建物において、（Ａ）は外装パネルが閉鎖された状態を示す斜視図であり、（Ｂ）は外装パネルが開放された状態を示す斜視図である。
【図２】（Ａ）は第１実施形態に係る外装パネルを示す側面断面図であり、（Ｂ）はその平面断面図である。
【図３】第１実施形態に係る外装パネルを示す斜視図である。
【図４】外装パネルの操作部材を示す分解斜視図である。
【図５】（Ａ）は第１実施形態に係る外装パネルが閉鎖された状態を示す正面図であり、（Ｂ）は開放された状態を示す正面図である。
【図６】（Ａ）は第２実施形態に係る外装パネルが閉鎖された状態を示す正面図であり、（Ｂ）は開放された状態を示す正面図である。
【図７】（Ａ）は第３実施形態に係る外装パネルが閉鎖された状態を示す正面図であり、（Ｂ）は開放された状態を示す正面図である。
【発明を実施するための形態】
【００１４】
（第１実施形態）
本発明の第１実施形態に係る外装パネル２０の一例について、図１〜図５に従って説明する。
【００１５】
外装パネル２０はガラスや金属から成る矩形状の板部材である。図１に示すように、躯体としての建物１０の正面が、複数の外装パネル２０によって覆われている。また、外装パネル２０は、固定パネル２２と可動パネル２４とから構成されている。なお、本発明で建物の正面とは、図１に示す建物１０の側面及び裏面を含む概念である。
【００１６】
固定パネル２２は、建物１０に設けられた方立１２に固定されており、複数の固定パネル２２が建物１０の側面の左右方向に並列され、上下方向に間隔をあけて設置されている。
【００１７】
一方、可動パネル２４は、後述するレール１３に上下方向に移動可能に取り付けられている。可動パネル２４は、図１（Ａ）に示すような固定パネル２２間の開口２９を閉鎖する閉鎖状態と、図１（Ｂ）に示すような固定パネル２２の裏側へ収納され開口２９を開放する開放状態との間で移動する。
【００１８】
図２に示すように、建物１０の柱１８間には、引き違い窓１５と引き違い窓１５の下端に設けられた嵌め殺し窓１６とが設置されており、天井スラブ１４Ａ、床スラブ１４Ｂ、柱１８、引き違い窓１５等によって居室空間１１が形成されている。
【００１９】
また、天井スラブ１４Ａ及び床スラブ１４Ｂにはファスナ１７が固定されており、ファスナ１７には方立１２が連結されている。方立１２は建物１０の上下方向に延出した板状部材であり、方立１２の外側端面には、ボルト等によって固定パネル２２が固定されている。
【００２０】
また、方立１２の側面には、建物１０の上下方向に沿ってチャンネル状のレール（ガイド機構の一例）１３が設けられている。さらに、床スラブ１４Ｂの外側には、落下防止用又は外部からの非常進入時用の足場２３が設けられている。  
【００２１】
一方、図３に示すように、可動パネル２４は、同じ大きさの上側可動パネル２４Ａと下側可動パネル２４Ｂとから構成されている。上側可動パネル２４Ａ及び下側可動パネル２４Ｂの裏面の四隅には、それぞれレール１３上を摺動可能なローラ２５が設けられており、ローラ２５がレール１３に係合することによって、可動パネル２４が横振れせずに上下方向に移動可能となっている。また、レール１３には、ローラ２５の移動を規制するためのストッパ１９が上下に設けられており、可動パネル２４を閉鎖状態及び開放状態で停止させる。
【００２２】
建物１０の躯体には、連動用ワイヤ（巻掛け部材の一例）２７が上下に巻掛けられた連動用滑車（回転部材の一例）２６が設けられている。上側可動パネル２４Ａと下側可動パネル２４Ｂは、連動用ワイヤ２７の一端及び他端にそれぞれ連結され、互いに連動して移動する。また、下側可動パネル２４Ｂには重り２８が内蔵又は装着されており、下側可動パネル２４Ｂは上側可動パネル２４Ａより重くされている。
【００２３】
固定パネル２２の下端部には、非常用レバー（解除部材の一例）２１が設けられている。非常用レバー２１は、後述するオペレーション４０とロック解除用ワイヤ３５によって連結されており、非常用レバー２１を手前に引くことでオペレーション４０のロック状態を解除することができる。
【００２４】
さらに、下側可動パネル２４Ｂの下端部には、支持板３８が取り付けられており、支持板３８にはパネル側動滑車３０が設けられている。一方、建物１０には、転向滑車３１、第１枠滑車３２、第２枠滑車３３がそれぞれ間隔を空けて水平方向に配列されている。
【００２５】
パネル側動滑車３０は、下側可動パネル２４Ｂが閉鎖状態のとき、第１枠滑車３２と第２枠滑車３３との間に位置するように配置されている。また、パネル側動滑車３０、転向滑車３１、第１枠滑車３２、第２枠滑車３３には、開閉用ワイヤ（ワイヤ）３４が巻掛けられている。
【００２６】
開閉用ワイヤ３４は、一端が第２枠滑車３３近傍に固定されており、第２枠滑車３３の上側、パネル側動滑車３０の下側、第１枠滑車３２の上側、転向滑車３１の下側を通って室内側に設けられた室内側滑車３７の上側へ巻掛けられ、図４に示すオペレーション４０の巻取りドラム（ドラム）４４に他端が巻取られている。このようにパネル側動滑車３０を設けることで、可動パネル２４の閉鎖操作時に開閉用ワイヤ３４を巻取る力を半分にすることができる。
【００２７】
オペレーション（操作部材の一例）４０は箱状のケース４１を有し、図４に示すように、ケース４１内に巻取りドラム４４が回転自在に支持されている。巻取りドラム４４の端面には六角溝形状の軸４４Ａが形成されており、軸４４Ａには、ケース４１の外側からハンドル４２の六角柱形状の嵌合部４２Ａが着脱可能に嵌合される。また、ハンドル４２には取っ手４２Ｂが形成されており、取っ手４２Ｂを回すことによりドラム４４を回転させることができる。
【００２８】
巻取りドラム４４には同軸上にワンウェイダンパ４３が設けられている。ワンウェイダンパ４３は、開閉用ワイヤ３４を巻取る方向に巻取りドラム４４が回転する際にはトルクがほとんど発生せず、開閉用ワイヤ３４を繰り出す方向に巻取りドラム４４が回転する際にはトルクを発生させて開閉用ワイヤ３４の繰り出し速度を制限する。
【００２９】
また、巻取りドラム４４の軸４４Ａ上にはラチェットギア４４Ｂが取り付けられており、ラチェットギア４４Ｂには係合爪（ロック機構の一例）４６が係合している。係合爪４６は、回転軸４６Ａを中心に回転可能な鉤爪形状の部材であり、図示しないトーションバネによってラチェットギア４４Ｂに係合する方向に付勢されている。
【００３０】
係合爪４６の一端がラチェットギア４４Ｂに係合した状態では、巻取りドラム４４の開閉用ワイヤ３４を巻取る方向の回転は許容され、開閉用ワイヤ３４を繰り出す方向の回転は規制（ロック）されている。
【００３１】
また、係合爪４６の回転軸４６Ａからは、板片４７が張出している。ケース４１外に突出したロック解除ボタン４８を押すと、ロック解除ボタン４８の押圧突起４８Ａが板片４７を押圧し、係合爪４６が回転軸４６Ａ回りに回転して巻取りドラム４４のラチェットギア４４Ｂから離間する方向に回転する。
【００３２】
さらに、板片４７には、インナーケーブルとアウターケーブルとで構成されたロック解除用ワイヤ３５の一端が固定されている。一方、ロック解除用ワイヤ３５のインナーケーブルの他端は、非常用レバー２１の回転中心に設けられた図示しない円板に巻掛けられている。非常用レバー２１を手前に引くと、円板が回転してロック解除用ワイヤ３５が引っ張られ、係合爪４６が巻取りドラム４４のラチェットギア４４Ｂから離間する方向に回転する。
【００３３】
次に、第１実施形態に係る外装パネル２０の作用及び効果について説明する。
【００３４】
図１（Ａ）、図５（Ａ）に示すように、外装パネル２０は、可動パネル２４の上側可動パネル２４Ａと下側可動パネル２４Ｂとが当接し、固定パネル２２間の開口２９が閉鎖された閉鎖状態とされている。このとき、オペレーション４０の巻取りドラム４４は、係合爪４６がラチェットギア４４Ｂに係合しているため、開閉用ワイヤ３４を繰り出す方向の回転が規制（ロック）されている。
【００３５】
外装パネル２０を開放状態にする場合には、まず、非常用レバー２１を手前に引く、又はオペレーション４０のロック解除ボタン４８を押すことによって、ロック解除用ワイヤ３５又は押圧突起４８Ａにより係合爪４６を巻取りドラム４４のラチェットギア４４Ｂから離間する方向に回転させる。係合爪４６が巻取りドラム４４のラチェットギア４４Ｂから離間すると、巻取りドラム４４の回転が許容され、巻回されていた開閉用ワイヤ３４が繰り出し可能となる。
【００３６】
下側可動パネル２４Ｂは重り２８によって上側可動パネル２４Ａより重くされているため、開閉用ワイヤ３４が繰り出し可能となると、下側可動パネル２４Ｂは自重によって下方向へ移動する。また、下側可動パネル２４Ｂと連動用ワイヤ２７によって連結されている上側可動パネル２４Ａも連動して上方向へ移動する。
【００３７】
下側可動パネル２４Ｂの下方向への移動に伴って、開閉用ワイヤ３４が巻取りドラム４４から繰り出されるが、巻取りドラム４４の内部に設けられたワンウェイダンパ４３によって開閉用ワイヤ３４の繰り出し速度が制限される。したがって、適度な速度で上側可動パネル２４Ａ及び下側可動パネル２４Ｂを移動させることができる。
【００３８】
上側可動パネル２４Ａ及び下側可動パネル２４Ｂが、図１（Ｂ）、図５（Ｂ）に示すように、それぞれ固定パネル２２の裏側に収納される位置まで移動すると、ローラ２５がストッパ１９に当接して上側可動パネル２４Ａ及び下側可動パネル２４Ｂの移動が停止し、外装パネル２０が開放状態となる。
【００３９】
その後、外装パネル２０を閉鎖状態にする場合には、巻取りドラム４４の軸４４Ａにハンドル４２を取り付け、オペレーション４０のケース４１外側からハンドル４２を手動で回転させる。ハンドル４２が回転すると、ハンドル４２の嵌合部４２Ａが嵌合している巻取りドラム４４の軸４４Ａが回転し、巻取りドラム４４が開閉用ワイヤ３４を巻取る方向に回転する。
【００４０】
開閉用ワイヤ３４が巻取られると、パネル側動滑車３０の下側部分に巻掛けられた開閉用ワイヤ３４が上方向に引っ張られ、開閉用ワイヤ３４の巻取りに伴って下側可動パネル２４Ｂが上方向へ移動する。このとき、下側可動パネル２４Ｂと連動用ワイヤ２７によって連結されている上側可動パネル２４Ａも連動して下方向へ移動する。
【００４１】
パネル側動滑車３０が第１枠滑車３２と第２枠滑車３３との間まで移動すると、ローラ２５がストッパ１９に当接して上側可動パネル２４Ａ及び下側可動パネル２４Ｂの移動が停止し、外装パネル２０が閉鎖状態となる。このとき、係合爪４６がラチェットギア４４Ｂに係合して、巻取りドラム４４の開閉用ワイヤ３４を繰り出す方向の回転が規制（ロック）される。したがって、可動パネル２４が移動することはない。
【００４２】
第１実施形態に係る外装パネル２０によると、可動パネル２４を上下方向へ移動させることによって外装パネル２０を開閉させるため、開放状態のときに可動パネル２４が外側へ突出することがない。つまり、可動パネル２４が敷地越境する虞が無いため、狭い敷地であっても外装パネル２０を設置することができる。
【００４３】
また、居室空間１１内からオペレーション４０によって外装パネル２０を開閉させることができるため、操作性が良好である。さらに、非常時には外側から非常用レバー２１を手前に引くことによって巻取りドラム４４のロック状態を解除して可動パネルを開放することができるため、非常用進入口を確保することができる。
【００４４】
また、下側可動パネル２４Ｂを自重で下方向に移動させ、上側可動パネル２４Ａを下側可動パネル２４Ｂと連動させて上方向へ移動させる。したがって、可動パネルの開閉を短時間で行うことができ、開閉操作することで上側可動パネルと下側可動パネルを同時に開閉させることができる。
【００４５】
さらに、外装パネル２０の閉鎖状態では、可動パネル２４が固定パネル２２間の開口２９全面を閉鎖させるため、意匠性と遮光効果を両立させることができる。また、開放状態では、可動パネル２４が固定パネル２２の裏側へ収納されて固定パネル２２間の開口２９全面が開放されるため、可動パネル２４が居室空間１１からの眺望の邪魔となる虞がない。
【００４６】
（第２実施形態）
次に、本発明の第２実施形態に係る外装パネル５０の一例について、図６に従って説明する。なお、建物１０やオペレーション４０等の構成は第１実施形態と同様であるため、同一の符号を付与して説明を省略する。
【００４７】
図６に示すように、外装パネル５０は固定パネル５２と可動パネル５４とから構成されている。固定パネル５２は、第１実施形態の固定パネル２２と同様の構成となっている。一方、可動パネル５４は、１枚の矩形状の板部材から成り、固定パネル５２間の開口を閉鎖可能な大きさとされている。
【００４８】
第１実施形態と同様に、可動パネル５４の下端部にはパネル側動滑車３０が設けられており、建物１０には、転向滑車３１、第１枠滑車３２、第２枠滑車３３が配列されている。また、パネル側動滑車３０、転向滑車３１、第１枠滑車３２、第２枠滑車３３には、オペレーション４０に連結された開閉用ワイヤ３４が巻掛けられている。さらに、固定パネル５２の下端部には、ロック解除用ワイヤ３５を介してオペレーション４０に連結された非常用レバー２１が設けられている。
【００４９】
図６（Ａ）に示す閉鎖状態の外装パネル５０を開放状態にする場合には、第１実施形態と同様に、非常用レバー２１を手前に引く、又はオペレーション４０のロック解除ボタン４８を押すことによって、巻取りドラム４４のロック状態を解除する。ロック状態を解除すると可動パネル５４が自重によって下方向へ移動する。
【００５０】
可動パネル５４が、図６（Ｂ）に示すように、固定パネル５２の裏側に収納される位置まで移動すると、ローラ２５がストッパ１９に当接して可動パネル５４の移動が停止し、外装パネル５０が開放状態となる。
【００５１】
その後、外装パネル５０を閉鎖状態にする場合には、オペレーション４０のハンドル４２を手動で回転させ、巻取りドラム４４によって開閉用ワイヤ３４を巻取る。開閉用ワイヤ３４が巻取られるとパネル側動滑車３０の下側部分に巻掛けられた開閉用ワイヤ３４が上方向に引っ張られ、開閉用ワイヤ３４の巻取りに伴って可動パネル５４が上方向へ移動する。
【００５２】
パネル側動滑車３０が第１枠滑車３２と第２枠滑車３３との間まで移動すると、ローラ２５がストッパ１９に当接して可動パネル５４の移動が停止し、外装パネル５０が閉鎖状態となる。
【００５３】
第１実施形態の外装パネル２０と比べて、第２実施形態の外装パネル５０は、可動パネル５４が１枚の板部材から成るため、固定パネル５２間の開口が狭く、可動パネル５４の移動範囲が狭い場合に特に有効である。可動パネル５４が１枚の板部材から成るため、連動用滑車や連動用ワイヤ等の巻掛け部材が不要となり、簡易な構成とすることができる。
【００５４】
（第３実施形態）
次に、本発明の第３実施形態に係る外装パネル６０の一例について、図７に従って説明する。なお、建物１０やオペレーション４０等の構成は第１実施形態、第２実施形態と同様であるため、同一の符号を付与して説明を省略する。
【００５５】
図７に示すように、外装パネル６０は固定パネル６２、可動パネル６４から構成されている。固定パネル６２は、第１実施形態、第２実施形態の固定パネル２２、５２と同様の構成となっている。一方、可動パネル６４は、１枚の矩形状の板部材から成り、固定パネル６２間の開口を閉鎖可能な大きさとされている。
【００５６】
また、可動パネル６４の下方の固定パネル６２の裏側には、可動パネル６４より重い重り６６が配置されている。建物１０には、連動用チェーン（巻掛け部材の一例）６８が巻掛けられた連動用ギア（回転部材の一例）６７が設けられており、可動パネル６４及び重り６６は、連動用チェーン６８の一端及び他端にそれぞれ連結されて、互いに連動して移動する。なお、重り６６には、ローラ６６Ａが設けられており、レール１３上を摺動可能となっている。
【００５７】
重り６６の下端部には、支持板６５が取り付けられており、支持板６５には重り側滑車６９が設けられている。一方、建物１０には、転向滑車３１、第１枠滑車３２、第２枠滑車３３が配列されている。また、重り側滑車６９、転向滑車３１、第１枠滑車３２、第２枠滑車３３には、オペレーション４０に連結された開閉用ワイヤ３４が巻掛けられている。さらに、固定パネル６２の下端部には、ロック解除用ワイヤ３５を介してオペレーション４０に連結された非常用レバー２１が設けられている。
【００５８】
図７（Ａ）に示す閉鎖状態の外装パネル６０を開放状態にする場合には、第１実施形態、第２実施形態と同様に、非常用レバー２１を手前に引く、又はオペレーション４０のロック解除ボタン４８を押すことによって、巻取りドラム４４のロック状態を解除する。
【００５９】
ロック状態を解除すると重り６６が自重によって下方向へ移動する。このとき、重り６６と連動用チェーン６８によって連結されている可動パネル６４も連動して上方向へ移動する。
【００６０】
可動パネル６４が、図７（Ｂ）に示すように、固定パネル６２の裏側に収納される位置まで移動すると、可動パネル６４のローラ２５、及び重り６６のローラ６６Ａがそれぞれストッパ１９に当接して可動パネル６４及び重り６６の移動が停止し、外装パネル６０が開放状態となる。
【００６１】
その後、外装パネル６０を閉鎖状態にする場合には、オペレーション４０のハンドル４２を手動で回転させ、巻取りドラム４４によって開閉用ワイヤ３４を巻取る。開閉用ワイヤ３４が巻取られると、重り側滑車６９の下側部分に巻掛けられた開閉用ワイヤ３４が上方向に引っ張られ、開閉用ワイヤ３４の巻取りに伴って重り６６が上方向へ移動する。このとき、重り６６と連動用チェーン６８によって連結されている可動パネル６４も連動して下方向へ移動する。
【００６２】
重り側滑車６９が第１枠滑車３２と第２枠滑車３３との間まで移動すると、可動パネル６４のローラ２５、及び重り６６のローラ６６Ａがそれぞれストッパ１９に当接して可動パネル６４及び重り６６の移動が停止し、外装パネル６０が閉鎖状態となる。
【００６３】
第３実施形態に係る外装パネル６０によると、可動パネル６４と重り６６とを連動させて移動させるため、非常用レバー２１を手前に引く、又はオペレーション４０のロック解除ボタン４８を押すことによって、可動パネル６４を上方向に移動させることができる。
【００６４】
（その他の実施形態）
なお、本発明について実施形態の一例を説明したが、本発明はかかる実施形態に限定されるものではなく、本発明の範囲内にて他の種々の実施形態が可能である。
【００６５】
例えば、第１実施形態〜第３実施形態の外装パネル２０、５０、６０は、非常用レバー２１によって開放可能であったが、非常時に開放する必要のない低層階の外装パネル２０、５０、６０であれば、非常用レバー２１は設けられていなくてもよい。
【００６６】
巻取りドラム４４のロック機構の解除部材として非常用レバー２１を用いていたが、ボタンやハンドル等の構成が用いられていてもよい。また、巻掛け伝動機構として、連動用ワイヤ２７や連動用チェーン６８を用いていたが、ベルトやロープ等の構成が用いられていてもよい。
【００６７】
また、オペレーション４０は、ハンドル４２や、巻取りドラム４４、係合爪４６を備える構成とされていたが、可動パネル２４、５４、６４を上下移動させることのできる構成であれば、どのような構成でも構わない。もちろん、巻取りドラム４４のロック機構として係合爪４６以外の構成が用いられていてもよい。
【符号の説明】
【００６８】
１０                 建物（躯体）
１２                 方立
１３                 レール（ガイド機構の一例）
２０、５０、６０     外装パネル
２１                 非常用レバー（解除部材の一例）
２２、５２、６２     固定パネル
２４、５４、６４     可動パネル    
２４Ａ               上側可動パネル
２４Ｂ               下側可動パネル
２６                 連動用滑車（回転部材の一例）
２７                 連動用ワイヤ（巻掛け部材の一例）
３４                 開閉用ワイヤ（ワイヤ）
４０                 オペレーション（操作部材の一例）
４４                 巻取りドラム（ドラム）
４６                 係合爪（ロック機構の一例）
６７                 連動用ギア（回転部材の一例）
６８                 連動用チェーン（巻掛け部材の一例）
【図１】
2015209654.tif 000003
【図２】
2015209654.tif 000004
【図３】
2015209654.tif 000005
【図４】
2015209654.tif 000006
【図５】
2015209654.tif 000007
【図６】
2015209654.tif 000008
【図７】
2015209654.tif 000009